(57)【要約】  本発明は、第２の情報（ＩＮＦＯ２）を補完する第１の情報（ＩＮＦＯ１）が端末装置（ＭＳ）に伝送される、情報を伝送するための方法に関する。第１の情報（ＩＮＦＯ１）は、テレビジョン装置（ＴＶ）による第２の情報（ＩＮＦＯ２）の再生に並行して端末装置（ＭＳ）によって視覚的に表示されるように構成されている。さらに、本発明は、前記の方法を実施するための端末装置、および第１の情報（ＩＮＦＯ１）を伝送するための装置にも関する。
2008514066.tif 000002
【特許請求の範囲】
【請求項１】
テレビジョン装置（ＴＶ）による第２の情報（ＩＮＦＯ２）の再生に並行して端末装置（ＭＳ）によって視覚的に表示するために、第２の情報（ＩＮＦＯ２）を補完する第１の情報（ＩＮＦＯ１）が端末装置（ＭＳ）に伝送される、情報を伝送するための方法。
【請求項２】
第１の情報（ＩＮＦＯ１）が、第２の情報（ＩＮＦＯ２）への端末装置（ＭＳ）の利用者の応答メッセージを可能にすることを特徴とする、請求項１に記載の方法。
【請求項３】
端末装置（ＭＳ）の利用者の応答メッセージが、移動無線チャネルを介して受信されることを特徴とする、請求項２に記載の方法。
【請求項４】
第１の情報（ＩＮＦＯ１）が、ブロードキャストまたはマルチキャストチャネルを介して多数の端末装置（ＭＳ）に伝送されることを特徴とする、請求項１ないし３の１つに記載の方法。
【請求項５】
第１の情報（ＩＮＦＯ１）が、ユニキャストチャネルを介して端末装置（ＭＳ）に伝送されることを特徴とする、請求項１ないし３の１つに記載の方法。
【請求項６】
第１の情報（ＩＮＦＯ１）が、テレビジョン装置（ＴＶ）への第２の情報（ＩＮＦＯ２）の伝送に同期して伝送されることを特徴とする、請求項１ないし５の１つに記載の方法。
【請求項７】
第１の情報（ＩＮＦＯ１）が、端末装置（ＭＳ）によって受信され、一時記憶され、かつ第２の情報（ＩＮＦＯ２）の再生に同期して表示されることを特徴とする、請求項１ないし６の１つに記載の方法。
【請求項８】
第１の情報（ＩＮＦＯ１）および第２の情報（ＩＮＦＯ２）の間において同期化するための方法が行われ、その際、
端末装置（ＭＳ）によって記録されかつ送信される第２の情報（ＩＮＦＯ２）の部分が受信され、かつ
第１の（ＩＮＦＯ１）情報に関する遅延時間が判定される
ことを特徴とする、請求項１ないし７の１つに記載の方法。
【請求項９】
第１の情報（ＩＮＦＯ１）および第２の情報（ＩＮＦＯ２）の間において同期化するための方法が行われ、その際、端末装置（ＭＳ）によって第１の情報（ＩＮＦＯ１）を表示する前に保持すべき遅延時間についての情報が、この端末装置（ＭＳ）に別の端末装置から伝送されることを特徴とする、請求項１ないし８の１つに記載の方法。
【請求項１０】
第１の情報（ＩＮＦＯ１）および第２の情報（ＩＮＦＯ２）の間において同期化するための方法が行われ、その際、テレビジョン装置（ＴＶ）から、端末装置（ＭＳ）によって第１の情報（ＩＮＦＯ１）を表示する前に保持すべき遅延時間についての情報が出力されることを特徴とする、請求項１ないし７の１つに記載の方法。
【請求項１１】
第２の情報（ＩＮＦＯ２）を補完する第１の情報（ＩＮＦＯ１）を受信するための手段、および
テレビジョン装置（ＴＶ）による第２の情報（ＩＮＦＯ２）の再生に並行して第１の情報（ＩＮＦＯ１）を視覚的に表示するための手段
を有する、端末装置（ＭＳ）。
【請求項１２】
テレビジョン装置（ＴＶ）による第２の情報（ＩＮＦＯ２）の再生に並行して端末装置（ＭＳ）によって視覚的に表示するために、第２の情報（ＩＮＦＯ２）を補完する第１の情報（ＩＮＦＯ１）を端末装置（ＭＳ）に伝送するための手段を有する装置。
【発明の詳細な説明】
【技術分野】
【０００１】
本発明は、端末装置に及びテレビジョン装置に情報を伝送するための方法に関する。さらに本発明は、この方法を実施するための装置に関する。
【背景技術】
【０００２】
双方向テレビジョンの概念は、通常のオーディオビジュアル内容または情報に補完的な情報を、したがって双方向の可能性を提供するテレビジョンに対するものである。追加情報によって利用者に、テレビジョンプログラムの内容に関して応答メッセージを与える可能性が与えられる。そのための例は、利用者がテレビジョン内に提供される製品を購入することができるテレショッピングであり、またはたとえばショーの候補を選択することによりテレビジョン番組のその後の経過に関して採決することである。
【０００３】
そのために、双方向テレビジョンを受信したい利用者は、セットトップボックスをテレビジョン装置に接続しなければならず、このセットトップボックスは、通常のオーディオビジュアル内容のデコーディングに加えて、テレビジョン装置による補完的な情報の表示を可能にする。補完的な情報は、テレビジョン装置によってその他のプログラム経過と交互に表示することができ、これらの補完的な情報は、経過するプログラムに重畳することができ、または追加的な情報およびプログラムの縮小した画像を見ることができるモードにして表示することができる。
【０００４】
双方向性は、セットトップボックスを利用せずに、たとえば補完的な情報によって、たとえばインターネットアドレスまたは電話番号を表示することによって、双方向操作を明確に指示することによって可能である。利用者は、このとき、応答メッセージを与えるためにたとえばその電話、移動電話またはＰＣのような追加的な装置を利用する。たとえばテレビジョンにはめ込まれた（スーパーインポーズされた）番号に移動無線網を介してＳＭＳ（ショートメッセージサービス）を送信することができる。応答メッセージがたとえばインターネット、ＤＳＬ（ディジタルサブスクライバライン）のような適当な逆方向チャネルを利用することができる場合、セットトップボックスを介して応答メッセージを生じることも可能である。
【発明の開示】
【発明が解決しようとする課題】
【０００５】
本発明の課題は、双方向テレビジョンのための効率的な方法を提供することにある。さらにその方法を実施するための適当な装置を提供するようにする。
【課題を解決するための手段】
【０００６】
この課題は、特許請求の範囲第１項の特徴を有する方法によって、かつ並列的な特許請求の範囲の特徴を有する装置によって解決される。有利な構成および変形は、特許請求の範囲従属請求項の対象である。
【０００７】
本発明による方法において、テレビジョン装置による第２の情報の再生に並行して端末装置によって視覚的に表示するために、第２の情報を補完する第１の情報が端末装置に伝送される。
【０００８】
第２の情報は、オーディオおよび／またはビジュアル情報であることができる。テレビジョン装置に第２の情報を伝送するために、基本的にはたとえばＤＶＢ（ディジタルビデオブロードキャスト）を介してあらゆる種類のテレビジョン情報伝送が可能である。第１の情報を伝送する端末装置は、たとえば移動無線装置、移動電話、または移動または定置のコンピュータであることができる。端末装置への第１の情報の伝送の様式は、１つまたは複数の通信システムへのこの端末装置の結び付きに依存している。第１の情報は、たとえば無線を介して、とくに規格ＧＳＭまたはＵＭＴＳにしたがったセルラ移動無線通信システムを介して、ＤＶＢ−Ｈ（ディジタルビデオブロードキャストハンドヘルド、たとえば“ディジタルビデオブロードキャスト（ＤＶＢ）；トランスミッションシステムフォーハンドヘルドターミナル（ＤＶＢ−Ｈ），ＥＴＳＩ  ＥＮ  ３０２  ３０４Ｖｌ．１．１”に記載）を介して、またはインターネットを介しても伝送することができる。
【０００９】
本発明によれば、第１および第２の情報は、同じ装置において表示または再生されない。なぜなら第１の情報は、端末装置によって表示されるが、一方第２の情報は、テレビジョン装置によって再生されるからである。第１および第２の情報を伝送するために、たとえば移動無線網およびテレビジョン情報を伝送するための網のような互いに異なった分離した伝送網を使用すると、とくに有利である。第１の情報は、第２の情報を補完し、すなわち第１および第２の情報の内容が同じであることはなく、第１および第２の情報の間に内容に関する関係が存在する。それどころか第１の情報の時間的な経過は、第２の情報の時間的な経過に依存する。第１の情報は、テレビジョン装置による第２の情報の再生に並行して端末装置によって表示することができ、このことは、第１および第２の情報のそれぞれ互いに相関を有する情報成分が、ほぼ同時に表示されまたは再生され、したがって端末装置およびテレビジョン装置の利用者によって知覚することができるということを意味する。
【００１０】
本発明の変形において、第１の情報は、第２の情報への端末装置の利用者の応答メッセージを可能にする。応答メッセージは、例えば、提供された製品の利用者によって意図された買い物に関する利用者の情報から、または採決意見の表明からなることができる。端末装置の利用者の応答メッセージは、移動無線チャネルを介して受信されると有利である。そのためにたとえば端末装置が通信することができる移動無線網によってとりわけまたはとくにこのような応答メッセージのために構成されたチャネルを利用することができる。
【００１１】
本発明の有利な構成によれば、第１の情報は、ブロードキャストまたはマルチキャストチャネルを介して多数の端末装置に伝送される。このことは、第１の情報の省資源の分配を可能にする。
【００１２】
本発明の変形において、第１の情報は、テレビジョン装置への第２の情報の伝送に同期して、端末装置に伝送される。同期化は、装置または第１の情報を端末装置に与える通信網によって行うことができる。
【００１３】
第１の情報が、端末装置によって受信され、一時記憶され、かつ第２の情報の再生に同期して表示されると有利である。この場合、第１の情報は、端末装置によってどうしても第２の情報に同期して受信されなければならないわけではなく、それどころか端末装置は、第１の情報の表示を遅延することができ、したがって第２の情報に対してまたは第２の情報の再生に対して同期化を行うことができる。そのために第１の情報は、時間マークを備えることができ、この時間マークは、どの程度長く第１の情報を一時記憶するかを判定することを、端末装置に可能にする。
【００１４】
本発明の構成において、第１および第２の情報の間において同期化するための方法が行われ、その際、端末装置によって記録される第２の情報の部分が受信され、かつ第１の情報に関する遅延時間が判定される。受信および判定は、端末装置が通信する通信網の１つまたは複数の適当な装置によって行なわれる。遅延時間は、たとえば端末装置へ第１の情報を伝送する前に保持すべきかつ／または端末装置によって第１の情報を表示する前に保持すべき時間間隔であることができる。所定の遅延時間は、場合によっては端末装置に伝送することができる。
【００１５】
本発明の構成において、第１および第２の情報の間において同期化するための方法が行われ、その際、端末装置によって第１の情報を表示する前に保持すべき遅延時間についての情報が、この端末装置に別の端末装置から伝送される。それにより１つの端末装置に関してあらかじめ決められた遅延時間が、種々の端末装置に関して利用されることが可能である。
【００１６】
本発明の１つの構成によれば、第１および第２の情報の間において同期化するための方法が行われ、その際、テレビジョン装置から、端末装置によって第１の情報を表示する前に保持すべき遅延時間についての情報が出力される。遅延時間に関するこの情報は、たとえばビデオテキストを利用することができる。
【００１７】
本発明による端末装置は、第２の情報を補完する第１の情報を受信するための手段、およびテレビジョン装置による第２の情報の再生に並行して第１の情報を視覚的に表示するための手段を有する。特に、本発明による端末装置は、第１の情報の受信に対して第１の情報を時間的にシフトして視覚的に表示するための手段、および／または視覚的な表示の前に受信された第１の情報を一時記憶するための手段を有することが可能である。
【００１８】
本発明による装置は、テレビジョン装置による第２の情報の再生に並行して端末装置によって視覚的に表示するために、第２の情報を補完する第１の情報を端末装置に伝送するための手段を有する。本発明による装置は、それぞれの手段を有する互いに結合された複数の装置によって実現することができる。本発明による装置は、さらに次のものを有することができる。すなわち第２の情報に同期して第１の情報を伝送するための手段、および／または第２の情報の再生と第１の情報の同期した表示を端末装置に可能にする同期情報を準備しかつ端末装置に伝送するための手段。
【００１９】
本発明による装置および本発明による端末装置は、とくに本発明による方法を実施するために使われ、その際、このことは、構成および変形にも当てはまることができる。そのために本発明による装置および本発明による端末装置は、別の適当な手段を含むことができる。
【発明を実施するための最良の形態】
【００２０】
次に本発明を実施例により詳細に説明する。
【００２１】
図１は、テレビジョン装置ＴＶを示しており、このテレビジョン装置は、テレビジョン情報ＩＮＦＯ２を分配するためのシステムＮＥＴ＿ＴＶに接続されている。テレビジョン情報ＩＮＦＯ２の分配の様式は、本発明にとって重要ではなく、例は、ケーブル、地上波放送または衛星を介したアナログ送信、およびケーブル（ＤＶＢ−Ｃ、ディジタルビデオブロードキャストケーブル）、地上波放送（ＤＶＢ−Ｔ、ディジタルビデオブロードキャストテレストリアル）または衛星（ＤＶＢ−Ｓ、ディジタルビデオブロードキャストサテライト）を介したディジタル送信である。
【００２２】
さらに図１は、移動無線装置ＭＳを示しており、この移動無線装置は、無線インターフェースを介して移動無線通信網ＮＥＴ＿ＵＭＴＳに接続されている。移動無線通信システムの具体的な構成は、本発明にとって重要ではなく、例は、規格ＧＳＭ（グローバルシステムフォーモービルコミュニケーション）、ＵＭＴＳ（ユニバーサルモービルテレコミュニケーションシステム）、ＤＶＢ−Ｈ（ディジタルビデオブロードキャストハンドヘルド）、ＤＡＢ（ディジタルオーディオブロードキャスティング）、あるいはまたＷＬＡＮｓ（ワイヤレスローカルエリアネットワーク）に従うシステムである。
【００２３】
移動無線通信網ＮＥＴ＿ＵＭＴＳから、テレビジョン情報ＩＮＦＯ２に対する追加または補完的な情報ＩＮＦＯ１が、移動無線装置ＭＳに送信され、かつこれにより表示される。追加情報ＩＮＦＯ１は、テレビジョン装置ＴＶおよび移動無線装置ＭＳの利用者に双方向テレビジョンを可能にする情報である。追加情報ＩＮＦＯ１は、テレビジョン情報ＩＮＦＯ２に対して内容的に相関を有する。したがって追加情報ＩＮＦＯ１は、テレビジョン情報ＩＮＦＯ２に関連を有する内容であり、その際、追加情報ＩＮＦＯ１の時間的な経過は、テレビジョン情報ＩＮＦＯ２の時間的な経過に依存している。追加情報ＩＮＦＯ１は、たとえばインターネットのページからなることができるので、利用者は、利用者に示されたプッシュボタンを移動無線装置ＭＳの入力可能性によって選択することができる。このとき、応答メッセージは、場合によってはこのような応答メッセージのために移動無線通信網ＮＥＴ＿ＵＭＴＳによって利用される無線チャネルを介して生じる。
【００２４】
追加情報ＩＮＦＯ１は、移動無線通信網ＮＥＴ＿ＵＭＴＳと移動無線装置ＭＳとの間の点対点結合を介して、たとえばサービスＧＰＲＳ（ゼネラルパケットラジオサービス）を介して送信することができる。しかしながらたとえばＭＢＭＳ（マルチメディアブロードキャストアンドマルチキャストサービス）を介した、またはＤＶＢ−Ｈ（ＤＶＢ−Ｈ、ディジタルビデオブロードキャストハンディー）／ＣＢＭＳ（コンバージェンスオブブロードキャストアンドモービルサービス）を介したブロードキャストまたはマルチキャスト通信を利用することは有利である。
【００２５】
本発明は、双方向テレビジョンの利用者に、互いに結合されていない２つの装置を介して、すなわちテレビジョン装置ＴＶおよび移動無線装置ＭＳを介して、テレビジョンプログラムを、すなわちテレビジョン情報ＩＮＦＯ２、および関連する双方向内容、すなわち追加情報ＩＮＦＯ１を受信し、かつ表示させることを可能にする。テレビジョン情報ＩＮＦＯ２および追加情報ＩＮＦＯ１の分配も、互いに独立した網を介して、一方においてテレビジョン情報ＩＮＦＯ２を分配するシステムＮＥＴ＿ＴＶを介しておよび他方において移動無線通信網ＮＥＴ＿ＵＭＴＳを介して行なわれる。通常利用者は、双方向テレビジョンにおいて応答メッセージを送出しようとするとき、コンテキスト切換えを行なわなければならない。従来の技術による追加情報ＩＮＦＯ１は、テレビジョン情報ＩＮＦＯ２の製造業者によってその中にはめ込まれ、かつテレビジョン装置ＴＶ上に表示される。このとき、応答メッセージは、はめ込まれた電話番号へＳＭＳを送信し、はめ込まれたインターネットアドレスにアクセスするまたははめ込まれたＥメールアドレスにＥメールを送信することによって行なわれる。
【００２６】
双方向テレビジョンサービスを利用するために本発明に基づいて、利用者の家計内において既存のＴＶインフラを引き続き稼動することができ、かつ利用者がセットトップボックスを手に入れる必要なく、移動無線装置を介して双方向テレビジョンの付加価値サービスを利用することができることは有利である。
【００２７】
テレビジョン情報ＩＮＦＯ２および追加情報ＩＮＦＯ１は、ＴＶおよび双方向内容の再生の間の時間遅延を避けるために同期化することができる。そのために追加情報ＩＮＦＯ１は、移動無線チャネルを介して移動無線装置ＭＳに伝送され、適当な遅延バッファを利用して遅延され、または一時記憶され、かつ適正な、すなわち同期した時点に表示されるので、テレビジョン情報ＩＮＦＯ２および内容に関して相関を有する追加情報ＩＮＦＯ１は、ほぼ同時に利用者にとって知覚することができる。遅延時間の長さは、テレビジョン情報ＩＮＦＯ２のために利用される伝送システムに依存する。遅延時間は、校正ステップにおいて決めることができ、その際、このような校正ステップは、基本的に一度だけ、すなわちテレビジョン装置ＴＶへの移動無線装置ＭＳの整合として行なえばよい。テレビジョン装置ＴＶが、種々の方法でテレビジョン情報ＩＮＦＯ２を受信することができる場合、テレビジョン情報ＩＮＦＯ２の伝搬のあらゆる様式に対して校正を行うことができる。このようにしてたとえば衛星伝送は、数秒のオーダにおけるテレビジョン情報ＩＮＦＯ２の信号遅延を引き起こす。このことは、追加情報ＩＮＦＯ１の表示の前に、移動無線装置ＭＳにおいて考慮されるようにする。
【００２８】
校正ステップは、移動無線装置ＭＳによってテレビジョン音声および／またはテレビジョン画像が記録され、かつ移動無線通信網ＮＥＴ＿ＵＭＴＳに送信されるように構成することができる。送信は、通話またはビデオ電話チャネルを介して実時間で、またはたとえばＭＭＳ（マルチメディアメッセージングサービス）のようなストアアンドフォワード伝送方法を介して、移動無線装置ＭＳの内部の時計に関して受け取りの時点を表示する時間スタンプを備えて行うことができる。移動無線通信網ＮＥＴ＿ＵＭＴＳにおいて受信された音声または受信された画像は、移動無線通信網ＮＥＴ＿ＵＭＴＳを受信することができる現在のテレビジョンプログラムと比較される。そのために図１に、テレビジョン情報を分配するためのシステムＮＥＴ＿ＴＶと移動無線通信網ＮＥＴ＿ＵＭＴＳとの間の結合が記入されている。さらに移動無線通信網ＮＥＴ＿ＵＭＴＳには、移動無線通信網ＮＥＴ＿ＵＭＴＳから移動無線装置ＭＳに追加情報ＩＮＦＯ１を伝送するために必要な時間間隔がわかっている。テレビジョン音声および／またはテレビジョン画像の送信に基づいて得られるテレビジョン装置ＴＶにおいてテレビジョン情報ＩＮＦＯ２がいつ再生されたかの時点の認識から、移動無線通信網ＮＥＴ＿ＵＭＴＳは、移動無線装置ＭＳによって追加情報ＩＮＦＯ１を表示すべき時点、またはその代わりに再生する前に移動無線装置ＭＳによって追加情報ＩＮＦＯ１を一時記憶する遅延時間を判定することができる。この時点またはこの時間間隔は、続いて移動無線装置ＭＳに通知される。
【００２９】
移動無線装置ＭＳとテレビジョン装置ＴＶとの間においてこのような同期化が行なわれたとき、得られた校正データは、同じテレビジョン装置ＴＶのプログラムのために追加情報ＩＮＦＯ１を受信しようとする別の移動無線装置に関しても利用することができる。そのためにこれらの校正データは、移動無線装置から移動無線装置へ伝送することができるか、または移動無線通信網ＮＥＴ＿ＵＭＴＳから別の移動無線装置にも伝送することができる。
【００３０】
校正ステップのための別の可能性は、テレビジョン情報ＩＮＦＯ２のそれぞれの伝送経路に対してテレビジョン装置ＴＶのビデオテキストの表において、利用者が移動無線装置ＭＳに入力したコードを利用することにある。このコードから移動無線装置は、このときに適切な遅延時間を取り出すことができる。別の可能性は、利用者が移動無線装置の時計をビデオテキスト内において動作する時計と手動で一致させることにある。
【００３１】
追加情報ＩＮＦＯ１が移動無線装置ＭＳによって一時記憶され、かつテレビジョン情報ＩＭＦＯ２に同期して表示される前記の場合の他に、追加情報ＩＮＦＯ１が遅延して移動無線装置ＭＳに伝送されることによって、移動無線通信網ＮＥＴ＿ＵＭＴＳが遅延時間を考慮することも可能である。移動無線装置ＭＳは、このときに追加情報ＩＮＦＯ１を遅延することなく再生することができる。
【００３２】
本発明は、採決／選択（ボーティング）に有利に適用することができ、その際、移動無線装置ＭＳに採決のための要請が伝送され、これらの要請は、テレビジョン装置ＴＶにおいて進行するプログラムに、クイズの催しに影響を及ぼし、その際、利用者に設定された質問、自発的な買い物またはＴＶ通商へのその応答を移動無線装置ＭＳに入力する可能性が与えられ、その際、利用者は、進行するプログラムの間に応募したまたは紹介された品物をメッセージにおいて注文することができ、その際、団体に所定の内容の、例えば“愛好家にこのクリップを送信する”の送信の可能性が与えられ、その際、たとえば送信のためにチャットが利用され、かつたとえば進行するプログラムに直接関係するロッテリー（くじ引き）の枠内においてゲームに利用される。移動無線通信網ＮＥＴ＿ＵＭＴＳを介して利用者の一義的な認識または認証を保証することは、買い物または注文に関してとくに有利である。
【図面の簡単な説明】
【００３３】
【図１】２つの通信システムを示す図である。
【符号の説明】
【００３４】
ＩＮＦＯ１  追加情報
ＩＮＦＯ２  テレビジョン情報
ＮＥＴ＿ＴＶ  テレビジョン情報を分配するシステム
ＮＥＴ＿ＵＭＴＳ  移動無線通信網
ＭＳ  移動無線装置
ＴＶ  テレビジョン装置
【図１】
2008514066.tif 000003
【国際調査報告】
2008514066.tif 000004
2008514066.tif 000005
2008514066.tif 000006
2008514066.tif 000007
2008514066.tif 000008
2008514066.tif 000009